(57)【要約】【課題】Ｗｅｂサイト同士でコンテンツを補完する、サーバ装置、Ｗｅｂサーバ装置、サーバシステム、サーバ装置用プログラム、Ｗｅｂサーバ装置用プログラムおよびＷｅｂサーバ装置の連携方法を提供する。【解決手段】サーバ装置１１０が、複数のＷｅｂサーバ装置のそれぞれが独自に提供するコンテンツと、当該コンテンツに関するテーマと、複数のＷｅｂサーバ装置のそれぞれの識別情報と、を自己のデータベース３４０に格納する処理部３１０と、自己のデータベースに格納されているコンテンツと、当該コンテンツに関するテーマの情報とを、複数のＷｅｂサーバ装置のうち当該コンテンツを独自に提供するＷｅｂサーバ装置を除いたＷｅｂサーバ装置に提供し合う提供部３２０とを備えることで、複数のＷｅｂサーバ装置のそれぞれが提供するコンテンツを互いに共有させる。【選択図】図４
2020042410.tif 000002
【特許請求の範囲】
【請求項１】
複数のＷｅｂサーバ装置のそれぞれが独自に提供するコンテンツと、当該コンテンツに関するテーマと、前記複数のＷｅｂサーバ装置のそれぞれの識別情報と、を自己のデータベースに格納する処理部と、
前記自己のデータベースに格納されているコンテンツと、当該コンテンツに関するテーマとを、前記複数のＷｅｂサーバ装置のうち当該コンテンツを独自に提供するＷｅｂサーバ装置を除いたＷｅｂサーバ装置に提供する提供部と、
を備える、サーバ装置。
【請求項２】
前記複数のＷｅｂサーバ装置のそれぞれの管理用端末装置から送信されるテーマ選定用キーワードを、前記複数のＷｅｂサーバ装置のうち当該テーマ選定用キーワードを送付した前記管理用端末装置に対応するＷｅｂサーバ装置に対して送信する登録部をさらに備える、請求項１に記載のサーバ装置。
【請求項３】
管理用端末装置およびサーバ装置と接続する通信部と、
前記通信部を経由して前記管理用端末装置から入力されるテーマを自己のデータベースに登録するとともに前記サーバ装置に当該テーマを送信する第１の登録部と、
前記第１の登録部で登録されているテーマから選択されたテーマに関するコンテンツを前記自己のデータベースに登録するとともに、前記サーバ装置に対して当該テーマに係る当該コンテンツを送信する第２の登録部と、
前記サーバ装置から他のＷｅｂサーバ装置で提供されるコンテンツと当該コンテンツに関するテーマを取得して前記自己のデータベースに書き込む書込部と、
前記書込部で前記自己のデータベースに書き込まれたコンテンツと前記管理用端末装置で前記自己のデータベースに書き込まれたコンテンツとを含むＷｅｂページを作成する作成部と、
前記作成部で作成されたＷｅｂページを閲覧要求する端末装置に提供する提供部と、
を備える、Ｗｅｂサーバ装置。
【請求項４】
管理用端末装置およびサーバ装置と接続する通信部と、
前記通信部を経由して前記サーバ装置から送信されるテーマを自己のデータベースに登録する第１の登録部と、
前記管理用端末装置から送信されるコンテンツを受信し、当該コンテンツのテーマを解析し、当該コンテンツに当該テーマを設定して自己のデータベースに登録するとともに、前記サーバ装置に対して当該テーマに係る当該コンテンツを送信する第２の登録部と、
前記サーバ装置から他のＷｅｂサーバ装置で提供されるコンテンツと当該コンテンツに関するテーマを取得して前記自己のデータベースに書き込む書込部と、
前記書込部で前記自己のデータベースに書き込まれたコンテンツと前記管理用端末装置で前記自己のデータベースに書き込まれたコンテンツとを含むＷｅｂページを作成する作成部と、
前記作成部で作成されたＷｅｂページを閲覧要求する端末装置に提供する提供部と
を備える、Ｗｅｂサーバ装置。
【請求項５】
前記第２の登録部が、前記管理用端末装置から送信されるコンテンツから所定の入力項目に応じて重み付けするとともに当該コンテンツを構成する単語に分解することにより、キーワード毎に集計を行い、その集計の結果に基づいてテーマを解析する、請求項４に記載のＷｅｂサーバ装置。
【請求項６】
請求項１または２に記載のサーバ装置と、
請求項３、４および５の何れか１項に記載のＷｅｂサーバ装置と
を備える、サーバシステム。
【請求項７】
コンピュータに格納されて実行されることにより、請求項１または２に記載のサーバ装置を実現する、サーバ装置用プログラム。
【請求項８】
コンピュータに格納されて実行されることにより、請求項３、４および５の何れか１項に記載のＷｅｂサーバ装置を実現する、Ｗｅｂサーバ装置用プログラム。
【請求項９】
複数のＷｅｂサーバ装置のそれぞれが独自に提供するコンテンツと、当該コンテンツに関するテーマと、前記複数のＷｅｂサーバ装置のそれぞれの識別情報と、をサーバ装置のデータベースに格納し、
前記サーバ装置の前記データベースに格納されているコンテンツおよび当該コンテンツに関するテーマを、前記複数のＷｅｂサーバ装置のうち当該コンテンツを独自に提供するＷｅｂサーバ装置を除いたＷｅｂサーバ装置に提供する、Ｗｅｂサーバ装置の連携方法。
【発明の詳細な説明】
【技術分野】
【０００１】
本発明は、Ｗｅｂサイト同士でコンテンツを補い合うためのサーバ装置、Ｗｅｂサーバ装置、サーバシステム、サーバ装置用プログラム、Ｗｅｂサーバ装置用プログラムおよびＷｅｂサーバ装置の連携方法に関する。
【背景技術】
【０００２】
マーケティング手法は時代とともに変化しつつあり、近年、ユーザ自ら検索して調べ、見つける「インバウンドマーケティング」が注目を浴びている。
【０００３】
特許文献１では、閲覧したＷｅｂサイトに含まれるＷｅｂコンテンツの内容に連動した広告を提供可能な広告配信システムおよび広告配信プログラムが開示されている。特許文献２では、インターネット上のウェブサイトから高い精度で情報を取得する情報取得サーバ、情報取得方法及び情報取得配信システムが開示されている。特許文献３では、Ｗｅｂ上に一般公開されているデータを自動抽出して、Ｗｅｂページを自動作成または自動更新する処理ためのＷｅｂページ作成処理プログラムおよび電子機器が開示されている。
【先行技術文献】
【特許文献】
【０００４】
【特許文献１】特開２００７−２８６８３３号公報
【特許文献２】特開２０１６−８１０９６号公報
【特許文献３】特開２０１７−１０７４７９号公報
【発明の概要】
【発明が解決しようとする課題】
【０００５】
しかしながら、特許文献１ないし３の何れにおいても、Ｗｅｂサーバ装置が独自に提供するコンテンツを他のＷｅｂサーバ装置が取得し、他のＷｅｂサイトを閲覧するユーザに提供するとともに、コンテンツ提供元に対して他のＷｅｂサーバ装置が独自に提供するコンテンツをシェアしあい、或るＷｅｂサイトを閲覧する者に対し当該或るＷｅｂサイトが提供するコンテンツと他のＷｅｂサイトが提供するコンテンツとを同時に閲覧させることができない。
【０００６】
そこで、本発明の課題は、Ｗｅｂサイト同士でコンテンツを補完する、サーバ装置、Ｗｅｂサーバ装置、サーバシステム、サーバ装置用プログラム、Ｗｅｂサーバ装置用プログラムおよびＷｅｂサーバ装置の連携方法を提供することである。
【課題を解決するための手段】
【０００７】
本発明に係るサーバ装置は、
複数のＷｅｂサーバ装置のそれぞれが独自に提供するコンテンツと、当該コンテンツに関するテーマと、複数のＷｅｂサーバ装置のそれぞれの識別情報と、を自己のデータベースに格納する処理部と、
自己のデータベースに格納されているコンテンツと、当該コンテンツに関するテーマとを、複数のＷｅｂサーバ装置のうち当該コンテンツを独自に提供するＷｅｂサーバ装置を除いたＷｅｂサーバ装置に提供する提供部と、
を備える。
【０００８】
本発明に係るサーバ装置は、
管理用端末装置およびサーバ装置と接続する通信部と、
通信部を経由して管理用端末装置から入力されるテーマを自己のデータベースに登録するとともにサーバ装置に当該テーマを送信する第１の登録部と、
第１の登録部で登録されているテーマから選択されたテーマに関するコンテンツを自己のデータベースに登録するとともに、サーバ装置に対して当該テーマに係る当該コンテンツを送信する第２の登録部と、
サーバ装置から他のＷｅｂサーバ装置で提供されるコンテンツと当該コンテンツに関するテーマを取得して自己のデータベースに書き込む書込部と、
書込部で自己のデータベースに書き込まれたコンテンツと管理用端末装置で自己のデータベースに書き込まれたコンテンツとを含むＷｅｂページを作成する作成部と、
作成部で作成されたＷｅｂページを閲覧要求する端末装置に提供する提供部と、
を備えるか、または、
管理用端末装置およびサーバ装置と接続する通信部と、
通信部を経由してサーバ装置から送信されるテーマを自己のデータベースに登録する第１の登録部と、
管理用端末装置から送信されるコンテンツを受信し、当該コンテンツのテーマを解析し、当該コンテンツに当該テーマを設定して自己のデータベースに登録するとともに、サーバ装置に対して当該テーマに係る当該コンテンツを送信する第２の登録部と、
サーバ装置から他のＷｅｂサーバ装置で提供されるコンテンツと当該コンテンツに関するテーマを取得して自己のデータベースに書き込む書込部と、
書込部で自己のデータベースに書き込まれたコンテンツと管理用端末装置で自己のデータベースに書き込まれたコンテンツとを含むＷｅｂページを作成する作成部と、
作成部で作成されたＷｅｂページを閲覧要求する端末装置に提供する提供部と
を備える。
【０００９】
本発明に係るサーバシステムは、
本発明に係るサーバ装置と、
本発明に係るＷｅｂサーバ装置と
を備える。
【００１０】
本発明に係るサーバ装置用プログラムは、コンピュータに格納されて実行されることにより、本発明に係るサーバ装置を実現する。
【００１１】
本発明に係るＷｅｂサーバ装置用プログラムは、コンピュータに格納されて実行されることにより、本発明に係るサーバ装置を実現する。
【００１２】
本発明に係るＷｅｂコンテンツ連携方法は、
複数のＷｅｂサーバ装置のそれぞれが独自に提供するコンテンツと、当該コンテンツに関するテーマと、複数のＷｅｂサーバ装置のそれぞれの識別情報と、をサーバ装置のデータベースに格納し、
サーバ装置のデータベースに格納されているコンテンツおよび当該コンテンツに関するテーマを、複数のＷｅｂサーバ装置のうち当該コンテンツを独自に提供するＷｅｂサーバ装置を除いたＷｅｂサーバ装置に提供する、連携方法。
【発明の効果】
【００１３】
本発明によれば、Ｗｅｂサイト同士で各自が提供するＷｅｂコンテンツを補完することができる。
【図面の簡単な説明】
【００１４】
【図１】図１は、本発明の第１および第２の実施形態に係るサーバ装置およびＷｅｂサーバ装置を含んで構成されたサーバシステムの構成図である。
【図２】図２は、図１に示すサーバ装置およびＷｅｂサーバ装置に共通する基本的なハードウェアの構成を示す図である。
【図３】図３は、図１に示す管理用端末装置および閲覧用端末装置に共通する基本的なハードウェアの構成を示す図である。
【図４】図４は、第１の実施形態に係るサーバ装置およびＷｅｂサーバ装置の機能ブロック図である。
【図５】図５は、第１の実施形態に係るサーバシステムにおけるシーケンスの一部を示す図である。
【図６】図６は、図５に示すシーケンスの続きを示す図である。
【図７】図７は、第２の実施形態に係るサーバ装置およびＷｅｂサーバ装置の機能ブロック図である。
【図８】図８は、第２の実施形態に係るサーバシステムにおけるシーケンスの一部を示す図である。
【図９】図９は、図８に示すシーケンスの続きを示す図である。
【図１０】図１０は、外部グルーピングでのサーバシステムの構成図である。
【図１１】図１１は、外部グルーピングでのサーバシステムにおけるシーケンスの一部を示す図である。
【図１２】図１２は、図８に示すシーケンスの続きを示す図である。
【図１３】図１３は、本発明の実施形態に係るサーバシステムで提供されるサーバ装置の連携を説明するための図である。
【発明を実施するための形態】
【００１５】
以下、図面を参照しながら、本発明の実施形態について詳細に説明する。
（第１の実施形態）
本発明の第１の実施形態に係るサーバシステム１００は、図１に示すように、サーバ装置１１０及び複数のＷｅｂサーバ装置１２０を含んで構成される。サーバ装置１１０と複数のＷｅｂサーバ装置１２０は、ネットワーク１３０により接続されて通信可能となる。複数のＷｅｂサーバ装置１２０は、それぞれインターネット１５０を経由して管理用端末装置１４０から接続される。複数のＷｅｂサーバ装置１２０は、それぞれインターネット１５０に接続され、閲覧用端末装置１６０から閲覧される。なお、サーバ装置１１０は、図示を省略するが、インターネット１５０に接続されるように構成されてもよい。サーバ装置１１０はマスターサーバ装置と呼ぶことができ、これに対して、Ｗｅｂサーバ装置１２０はスレーブサーバ装置と呼ぶことができる。
【００１６】
サーバ装置１１０およびＷｅｂサーバ装置１２０は、図２に示すように、補助記憶装置２１０、主記憶装置２１１、演算装置２１２、制御装置２１３および通信装置２１４を含んで構成される。管理用端末装置１４０および閲覧用端末装置１６０は、図３に示すように、補助記憶装置２１０、主記憶装置２１１、演算装置２１２、制御装置２１３および通信装置２１４のほか、さらに、キーボード端末装置、マウスポインターなどの入力デバイスで構成される入力部２１５と、モニター装置などの出力デバイスで構成される出力部２１６とを備える。演算装置２１２および制御装置２１３は、ＣＰＵ、ＭＰＵなどで一体化されてもよい。入力部２１５および出力部２１６は、タッチパネルディスプレー装置で一体化されてもよい。管理用端末装置１４０、閲覧用端末装置１６０には、パーソナルコンピュータのほか、タブレットコンピュータ、スマートフォンなどの携帯情報端末装置が含まれる。管理用端末装置１４０は、閲覧用端末装置１６０において、管理者用ログインなどにより使用が制限される場合でもよい。管理用端末装置１４０は、通常の端末装置において管理のために使用する場合が含まれ、閲覧用端末装置１６０は、通常の端末装置において閲覧のために使用する場合が含まれる。
【００１７】
サーバ装置１１０となるコンピュータの補助記憶装置２１０にサーバ装置用プログラムが記憶され、主記憶装置２１１に取り込まれ、演算装置２１２に展開される。これにより、図４に示すように、サーバ装置１１０が構成される。
【００１８】
Ｗｅｂサーバ装置１２０となるコンピュータの補助記憶装置２１０にサーバ装置用プログラムが記憶され、主記憶装置２１１に取り込まれ、演算装置２１２に展開される。これにより、図４に示すように、Ｗｅｂサーバ装置１２０が構成される。
【００１９】
サーバ装置１１０は、複数のＷｅｂサーバ装置１２０で独自に提供されるＷｅｂコンテンツを仲介することで連携させる。そのために、サーバ装置１１０は、図４に示すように、処理部３１０と、提供部３２０と、登録部３３０と、内部又は外部にデータベース３４０と、Ｗｅｂサーバ装置１２０とネットワーク１３０またはインターネット１５０を経由して通信するための通信部３５０を備える。
【００２０】
処理部３１０は、複数のＷｅｂサーバ装置１２０のそれぞれが独自に提供するコンテンツと、当該コンテンツに関するテーマと、複数のＷｅｂサーバ装置１２０のそれぞれの識別情報と、を自己のデータベース３４０に格納する。ここで、識別情報とは、例えばＩＰアドレスである。処理部３１０は、自己のデータベース３４０に、テーマ、コンテンツおよび識別情報を格納した日時を合わせて格納することが好ましい。処理部３１０への格納した日時に基づいて、Ｗｅｂサーバ装置１２０へのテーマおよびコンテンツのシェアを選別することができるからである。
【００２１】
提供部３２０は、自己のデータベース３４０に格納されているコンテンツと、当該コンテンツに関するテーマとを、複数のＷｅｂサーバ装置１２０（例えば、１２０Ａ，１２０Ｂ，１２０Ｃ）のうち当該コンテンツを独自に提供するＷｅｂサーバ装置１２０（例えば、１２０Ａ）を除いたＷｅｂサーバ装置１２０（例えば１２０Ｂ，１１２Ｃ）に提供する。
【００２２】
登録部３３０は、複数のＷｅｂサーバ装置１２０のそれぞれの管理用端末装置１４０から送信されるテーマの選定用キーワードを、複数のＷｅｂサーバ装置１２０のうち当該テーマ選定用キーワードを送付した管理用端末装置１４０に対応するＷｅｂサーバ装置１２０に対して送信し登録させる。これにより、管理用端末装置１４０からＷｅｂサーバ装置１２０を経由してテーマ選定用キーワードが、サーバ装置１１０およびＷｅｂサーバ装置１２０に登録される。当該テーマ選定用キーワードが送信されたＷｅｂサーバ装置１２０が、他のＷｅｂサーバ装置１２０から取得したコンテンツを選別することができる。テーマ選定用キーワードとしては、意味や内容を端的に示すカギとなる語句、いわゆるキーワードのほか、固有名詞などが含まれる。
【００２３】
テーマの選定用キーワードとしては、次の通りである。候補となる複数のテーマが予め設定される。例えば、「第１のテーマ」では、重要キーワードとしてｗｏｒｄ１，ｗｏｒｄ２が設定され、一般キーワードとしてｗｏｒｄ３，ｗｏｒｄ４が設定されている。「第２のテーマ」では、重要キーワードとしてｗｏｒｄ５，ｗｏｒｄ６が設定され、一般キーワードとしてｗｏｒｄ７，ｗｏｒｄ８が設定されている。このように、各テーマには、重要キーワードと一般キーワードが一つ以上設定されている。
【００２４】
テーマが「ガーデニング」である場合、設定キーワードに関して、重要キーワードに属する単語として、「ガーデニング」、「花壇」が設定され、一般キーワードに属する単語として、「庭」、「植物」、「花」、「木」、「樹木」、「植物」、「観葉植物」が設定される。
【００２５】
テーマが「エクステリア」である場合、設定キーワードに関して、重要キーワードに属する単語として、「庭」、「バルコニー」、「外壁」、「アプローチ」、「カーポート」、「屋根」、「ベランダ」、「塀」、「門」、「ドア」、「物置」が設定され、一般キーワードに属する単語として、「窓」が設定される。
【００２６】
テーマが「誕生日」である場合、設定キーワードに関して、重要キーワードに属する単語として、「誕生日」、「バースデー」が設定され、一般キーワードに属する単語として、「プレゼント」、「ケーキ」、「子供」、「父」、「母」、「妻」、「恋人」、「彼氏」、「彼女」が設定される。
【００２７】
一方、Ｗｅｂサーバ装置１２０は、図４に示すように、通信部４１０と、第１の登録部４２０と、第２の登録部４３０と、書込部４４０と、作成部４５０と、提供部４６０と、内部または外部のデータベース４７０とを備える。
【００２８】
通信部４１０は、Ｗｅｂサーバ装置１２０と、閲覧用端末装置１６０、管理用端末装置１４０およびサーバ装置１１０と接続する。
【００２９】
第１の登録部４２０は、通信部４１０を経由してサーバ装置１１０から送信されるテーマを自己のデータベース４７０に登録する。
【００３０】
第２の登録部４３０は、管理用端末装置１４０から送信されるコンテンツを受信し、当該コンテンツのテーマを解析し、当該コンテンツを設定し自己のデータベース４７０に登録する。また、第２の登録部４３０は、サーバ装置１１０に対して当該テーマに係る当該コンテンツを送信する。サーバ装置１１０は当該コンテンツを自己のデータベース３４０に登録する。
【００３１】
テーマ解析について具体的には、第２の登録部４３０は、複数のＷｅｂサーバ装置１２０のそれぞれが独自に提供するコンテンツから所定の入力項目に応じて重み付けするとともに当該コンテンツを構成する単語に分解することにより、キーワード毎に集計を行い、その集計の結果に基づいてテーマを解析する。ここで、所定の入力項目には、「テーマ」、「キーワード」、「説明」などが含まれ、「テーマ」の項目は、「主テーマ」、「サブテーマ」のように複数、段階的に設定されてもよい。「キーワード」の項目は、「重要キーワード」、「一般キーワード」のように複数、段階的に設定されてもよい。さらに具体的に述べると、次のようになる。
【００３２】
前述したテーマの選定用キーワードの例に対応した例を挙げて説明する。第２の登録部４３０において、管理用端末装置１４０から送信されて入力されるテキストデータを名詞、動詞、形容詞などの品詞に分解し、活用語については終止形として直し、テキストデータに含まれるｗｏｒｄ１〜ｗｏｒｄ８の有無を選択する。そして、入力されるテキストデータ内に、各テーマの重要キーワードを一以上含んでいるもの、又は一般キーワードを一以上含んでいるものを、選択する。例えば、テキストデータ内に、第１のテーマの重要キーワードを一以上含むこと、一般キーワードを例えば５以上含むことの何れかを満たす場合には、第１のテーマに関すると認定する。例えば、テキストデータ内に、第２のテーマの重要キーワードを含んでおらず、一般キーワードを例えば８以上含むことの何れかを満たす場合には、第２のテーマに関すると認定する。
【００３３】
一般的には、テキストデータ内に、第ｉのテーマ（ただし、ｉは任意の自然数）の重要キーワードをＰ（≧１）個以上含み、各重要キーワードの頻出回数がＱ（≧１）以上あれば、第ｉテーマに関すると認定する。
【００３４】
テキストデータ内に、第ｊのテーマ（ただし、ｊは任意の自然数）の一般キーワードをｐ（≧Ｐ）以上含み、各一般キーワードの頻出回数がｑ（≧Ｑ）以上であれば、第ｊテーマに関すると認定する。
【００３５】
このように、キーワードの重要度を重要キーワードと一般キーワードに分け、各キーワードを何個含み、そのキーワードの頻出回数により重み付けして、テーマを選定する。
【００３６】
入力されるテキストデータが、次の図表に示す通りであったとする。
【００３７】
【表１】
2020042410.tif 000003
【００３８】
第２の登録部４３０は、各センテンスから単語を抜き出し、各単語の使用数を集計する。上記例においては、次の図表のようになる。
【００３９】
【表２】
2020042410.tif 000004
【００４０】
次に、テーマごとに重要キーワード数と一般キーワード数をカウントする。上記例では次の図表のようになる。括弧内の数字は、カウントした値である。重要キーワードおよび一般キーワードの数が基準を満たす場合には、そのテーマと認定する。このとき、複数のテーマが設定されることを妨げない。
【００４１】
【表３】
2020042410.tif 000005
【００４２】
書込部４４０は、サーバ装置１１０から他のＷｅｂサーバ装置で提供されるコンテンツと当該コンテンツに関するテーマを取得して自己のデータベース４７０に書き込む。その際、コンテンツ提供元に関するＷｅｂサーバ装置１２０の識別情報も併せて書き込むとよい。
【００４３】
作成部４５０は、書込部４４０で自己のデータベース４７０に書き込まれたコンテンツを取得し、取得した当該コンテンツと管理用端末装置１４０で自己のデータベース４７０に書き込まれたコンテンツとを含むＷｅｂページを作成する。
【００４４】
提供部４６０は、作成部４５０で作成されたＷｅｂページを、管理用端末装置１４０を除く端末装置、すなわち閲覧用端末装置１６０に提供する。
【００４５】
このように構成されたサーバシステム１００は、図５および図６に示すシーケンスによりＷｅｂサーバ装置１２０を連携し、Ｗｅｂコンテンツを補完する。以下、詳細に説明する。ここでは、最初に、テーマが自動設定され、コンテンツが登録されるＷｅｂサーバ装置１２０を、「第１のＷｅｂサーバ装置１２０Ａ」と呼び、自動設定されたテーマに関するコンテンツの連携を受ける側のＷｅｂサーバ装置１２０を、「第２のＷｅｂサーバ装置１２０Ｂ」と呼ぶことにする。
【００４６】
先ず、第１のＷｅｂサーバ装置１２０Ａ側の管理用端末装置１４０Ａにおいて、テーマの自動設定に係る情報が入力され（Ｓｔｅｐ１−１）、入力されたデータがサーバ装置１１０に送信され（Ｓｔｅｐ１−２）、サーバ装置１１０の登録部３３０によりテーマの自動設定に関する情報が自己のデータベース３４０に登録される（Ｓｔｅｐ１−３）。すると、サーバ装置１１０は、登録部３３０により第１のＷｅｂサーバ装置１２０Ａに対して、Ｓｔｅｐ１−１で入力された情報が送信され（Ｓｔｅｐ１−４）、第１のＷｅｂサーバ装置１２０Ａは第１の登録部４２０により自己のデータベース４７０に当該テーマの情報を登録する（Ｓｔｅｐ１−５）。
【００４７】
次に、第１のＷｅｂサーバ装置１２０Ａ側の管理用端末装置１４０Ａにおいてコンテンツが入力される（Ｓｔｅｐ１−６）。すると、管理用端末装置１４０Ａは、入力されたコンテンツを第１のＷｅｂサーバ装置１２０Ａに送信し（Ｓｔｅｐ１−７）、第１のＷｅｂサーバ装置１２０Ａは、第２の登録部４３０により当該コンテンツを自己のデータベース４７０に登録する（Ｓｔｅｐ１−８）とともに、当該コンテンツを解析してコンテンツに対してテーマを自動で設定し（Ｓｔｅｐ１−９）、当該テーマを自己のデータベース４７０に登録する（Ｓｔｅｐ１−１０）。その後、第１のＷｅｂサーバ装置１２０Ａは、第２の登録部４３０により、入力されたコンテンツをサーバ装置１１０に送信し（Ｓｔｅｐ１−１１）、サーバ装置１１０は処理部３１０により当該コンテンツをデータベース３４０に登録する（Ｓｔｅｐ１−１２）。
【００４８】
そして、サーバ装置１１０は、提供部３２０により、第２のＷｅｂサーバ装置１２０Ｂに対してテーマに関する情報を提供する（Ｓｔｅｐ１−１３）。これにより、第２のＷｅｂサーバ装置１２０Ｂは、自動設定に係るテーマの情報をダウンロードする（Ｓｔｅｐ１−１４）。ダウンロードした情報は、書込部４４０により、自己のデータベース４７０に登録される。第２のＷｅｂサーバ装置１２０Ｂ側の管理用端末装置１４０Ｂは、ダウンロードに係るテーマの情報から、取得したいテーマを選択し、第２のＷｅｂサーバ装置１２０Ｂに送信する（Ｓｔｅｐ１−１５）。
【００４９】
第２のＷｅｂサーバ装置１２０Ｂは、書込部４４０により、登録したテーマの情報を自己のデータベース４７０に書き込んで登録する（Ｓｔｅｐ１−１６）とともに、この登録されたテーマの情報に基づいてサーバ装置１１０から提供部３２０により提供されるコンテンツをダウンロードにより取得する（Ｓｔｅｐ１−１７）。第２のＷｅｂサーバ装置１２０Ｂは、書込部４４０により、取得したコンテンツを自己のデータベース４７０に書き込む（Ｓｔｅｐ１−１８）。
【００５０】
この一連のシーケンスにより、第１のＷｅｂサーバ装置１２０Ａに入力されたテーマのうち、第２のＷｅｂサーバ装置１２０Ｂが連携したいテーマを選択し、選択したテーマに係るコンテンツを取得することができる。よって、第１のＷｅｂサーバ装置１２０Ａが独自に提供するＷｅｂコンテンツが第２のＷｅｂサーバ装置１２０Ｂに連携される。
【００５１】
次に、Ｓｔｅｐ１−１からＳｔｅｐ１−１８までを、第１のＷｅｂサーバ装置１２０Ａと第２のＷｅｂサーバ装置１２０Ｂとが逆となって同様な手順を経ることにより、第２のＷｅｂサーバ装置１２０Ｂに入力されたテーマに関する情報から、第１のＷｅｂサーバ装置１２０Ａが連携したいテーマを選択し、選択したテーマに係るコンテンツを取得することができる。これらのステップについては図示を省略している。
【００５２】
このような状態において、第２のＷｅｂサーバ装置１２０ＢのＷｅｂサイトを閲覧する閲覧用端末装置１６０が、第２のＷｅｂサーバ装置１２０Ｂにアクセスする（Ｓｔｅｐ１−１９）。第２のＷｅｂサーバ装置１２０Ｂは、作成部４５０により、自己のデータベース４７０からもともと設定された自己のコンテンツと、サーバ装置１１０から取得された第１のＷｅｂサーバ装置１２０Ａに設定されているコンテンツと、を取得して（Ｓｔｅｐ１−２０）、取得した複数のコンテンツに基づいてＷｅｂページを作成し（Ｓｔｅｐ１−２１）、第２のＷｅｂサーバ装置１２０Ｂに対してアクセスした閲覧用端末装置１６０に、当該Ｗｅｂページが提供される（Ｓｔｅｐ１−２２）。
【００５３】
このような状態において、第１のＷｅｂサーバ装置１２０ＡのＷｅｂサイトを閲覧する閲覧用端末装置１６０が、第１のＷｅｂサーバ装置１２０Ａにアクセスする（Ｓｔｅｐ１−２３）。第１のＷｅｂサーバ装置１２０Ａは、作成部４５０により、自己のデータベース４７０からもともと設定された自己のコンテンツと、サーバ装置１１０から取得された第２のＷｅｂサーバ装置１２０Ｂに設定されているコンテンツと、を取得して（Ｓｔｅｐ１−２４）、取得した複数のコンテンツに基づいてＷｅｂページを作成し（Ｓｔｅｐ１−２５）、第１のＷｅｂサーバ装置１２０Ａに対してアクセスした閲覧用端末装置１６０に、当該Ｗｅｂページが提供される（Ｓｔｅｐ１−２６）。
【００５４】
以上の説明は、コンテンツが登録されるＷｅｂサーバ装置１２０が二台存在する場合であるところ、コンテンツが登録されるＷｅｂサーバ装置１２０が三台以上存在する場合においても適用される。
【００５５】
各Ｗｅｂサーバ装置１２０は、定期的に又は一定の時間や日時が経過すると、サーバ装置１１０に対してアクセスし、他のＷｅｂサーバ装置１２０から独自に提供されるテーマやコンテンツに更新や追加がなされたかを確認し、更新や追加がなされた場合には、提供部３２０により提供されるそれらのデータや情報を書込部４４０でダウンロードして各データベース４７０に書き込み、作成部４５０により、Ｗｅｂページを作成する。
（第２の実施形態）
本発明の第２実施形態に係るサーバシステムについて説明する。第１の実施形態ではテーマが自動設定されることによりＷｅｂサイト間で連携しているのに対して、第２の実施形態ではテーマを手動設定することによりＷｅｂサイト間での連携している点で異なる。
【００５６】
本発明の第２の実施形態に係るサーバシステム１００においても、図１に示すように、サーバ装置１１０、複数のＷｅｂサーバ装置１２０、ネットワーク１３０、管理用端末装置１４０、インターネット１５０および閲覧用端末装置１６０で構成される。
【００５７】
サーバ装置１１０およびＷｅｂサーバ装置１２０のハードウェア構成は、図２と同様であり、管理用端末装置１４０および閲覧用端末装置１６０のハードウェア構成は、図３と同様であるので、説明を省略する。サーバ装置用プログラム、Ｗｅｂサーバ装置用プログラムがそれぞれコンピュータの補助記憶装置２１０に記憶され、主記憶装置２１１に取り込まれて演算装置２１２に展開される。
【００５８】
サーバ装置１１０は、図７に示すように、処理部５１０と、提供部５２０と、内部又は外部にデータベース５４０と、Ｗｅｂサーバ装置１２０とネットワーク１３０またはインターネット１５０を経由して通信するための通信部５５０を備える。
【００５９】
処理部５１０は、複数のＷｅｂサーバ装置１２０のそれぞれが独自に提供するコンテンツと、当該コンテンツに関するテーマと、複数のＷｅｂサーバ装置１２０のそれぞれの識別情報と、を自己のデータベース５４０に格納する。ここで、識別情報とは、例えばＩＰアドレスである。処理部５１０は、自己のデータベース３４０に、テーマ、コンテンツおよび識別情報を格納した日時を合わせて格納することが好ましい。処理部３１０への格納した日時に基づいて、Ｗｅｂサーバ装置１２０へのテーマおよびコンテンツのシェアを選別することができるからである。
【００６０】
提供部５２０は、自己のデータベース５４０に格納されているコンテンツと、当該コンテンツに関するテーマとを、複数のＷｅｂサーバ装置１２０（例えば、１２０Ａ，１２０Ｂ，１２０Ｃ）のうち当該コンテンツを独自に提供するＷｅｂサーバ装置１２０（例えば、１２０Ａ）を除いたＷｅｂサーバ装置１２０（例えば１２０Ｂ，１２０Ｃ）に提供する。
【００６１】
一方、Ｗｅｂサーバ装置１２０は、図７に示すように、通信部６１０と、第１の登録部６２０と、第２の登録部６３０と、書込部６４０と、作成部６５０と、提供部６６０と、内部または外部のデータベース６７０とを備える。
【００６２】
通信部６１０は、Ｗｅｂサーバ装置１２０と、閲覧用端末装置１６０、管理用端末装置１４０およびサーバ装置１１０と接続する。
【００６３】
第１の登録部６２０は、通信部６１０を経由して管理用端末装置１４０から送信されるテーマを自己のデータベース６７０に登録するとともにサーバ装置１１０に当該テーマを送信する。サーバ装置１１０は当該テーマを自己のデータベース３４０に登録する。
【００６４】
第２の登録部６３０は、第１の登録部６２０で自己のデータベース６７０に登録されているテーマを選択して当該テーマに関するコンテンツを自己のデータベース６７０に登録するとともに、サーバ装置１１０に対して当該テーマに係る当該コンテンツを送信する。サーバ装置１１０は当該テーマに係る当該コンテンツを自己のデータベース３４０に登録する。
【００６５】
書込部６４０は、サーバ装置１１０から他のＷｅｂサーバ装置で提供されるコンテンツと当該コンテンツに関するテーマを取得して自己のデータベース６７０に書き込む。その際、コンテンツ提供元に関するＷｅｂサーバ装置１２０の識別情報も併せて書き込むとよい。
【００６６】
作成部６５０は、書込部６４０で自己のデータベース６７０に書き込まれたコンテンツを取得し、取得した当該コンテンツと管理用端末装置１４０で自己のデータベース６７０に書き込まれたコンテンツとを含むＷｅｂページを作成する。
【００６７】
提供部６６０は、作成部６５０で作成されたＷｅｂページを、管理用端末装置１４０を除く端末装置、すなわち閲覧用端末装置１６０に提供する。つまり、提供部６６０は、当該コンテンツを要求する端末装置に提供する。
【００６８】
このように構成されたサーバシステム１００は、図８および図９に示すシーケンスによりＷｅｂサーバ装置１２０を連携し、Ｗｅｂコンテンツを補完する。以下、詳細に説明する。ここでは、最初に、テーマ入力され、コンテンツが登録されるＷｅｂサーバ装置１２０を、「第１のＷｅｂサーバ装置１２０Ａ」と呼び、コンテンツの補完を受ける側のＷｅｂサーバ装置１２０を、「第２のＷｅｂサーバ装置１２０Ｂ」と呼ぶことにする。
【００６９】
先ず、第１のＷｅｂサーバ装置１２０Ａ側の管理用端末装置１４０Ａにおいて、テーマに関する設定が手動で入力され（Ｓｔｅｐ２−１）、入力に係るテーマが第１のＷｅｂサーバ装置１２０Ａに送信され（Ｓｔｅｐ２−２）、第１のＷｅｂサーバ装置１２０Ａは、第１の登録部６２０により、自己のデータベース３４０に当該テーマの情報を登録する（Ｓｔｅｐ２−３）。また、第１の登録部６２０により、第１のＷｅｂサーバ装置１２０Ａからサーバ装置１１０に当該テーマの情報が送信され（Ｓｔｅｐ２−４）、サーバ装置１１０は、処理部５１０により、自己のデータベース５４０に当該テーマの情報を登録する（Ｓｔｅｐ２−５）。
【００７０】
次に、第１のＷｅｂサーバ装置１２０Ａ側の管理用端末装置１４０Ａにおいてテーマを選択してコンテンツが入力される（Ｓｔｅｐ２−６）。このテーマ選択により、第１のＷｅｂサーバ装置１２０Ａが提供するＷｅｂサイトに必要なテーマを選択することができる。これにより、他のサイトの選択したテーマに紐づくデータを取得することができる。ここでいうテーマは、他のサイトのデータを取得する指標となるものであり、選択したテーマは結果的には閲覧者に表示される。すると、管理用端末装置１４０Ａは、入力されたコンテンツを第１のＷｅｂサーバ装置１２０Ａに送信し（Ｓｔｅｐ２−７）、第１のＷｅｂサーバ装置１２０Ａは、第２の登録部６３０により、コンテンツを自己のデータベース６７０に登録する（Ｓｔｅｐ２−８）。その後、第１のＷｅｂサーバ装置１２０Ａは、第２の登録部６３０により、入力されたコンテンツをサーバ装置１１０に送信し（Ｓｔｅｐ２−９）、サーバ装置１１０は、処理部５１０により、当該コンテンツをデータベース５４０に登録する（Ｓｔｅｐ２−１０）。
【００７１】
そして、サーバ装置１１０は、提供部５２０により、第２のＷｅｂサーバ装置１２０Ｂに対してテーマに関する情報を提供する（Ｓｔｅｐ２−１１）。これにより、第２のＷｅｂサーバ装置１２０Ｂは、テーマの情報をダウンロードし（Ｓｔｅｐ２−１２）、書込部６４０により、自己のデータベース６７０に書き込んで登録する（Ｓｔｅｐ２−１３）。第２のＷｅｂサーバ装置１２０Ｂ側の管理用端末装置１４０Ｂから、取得する第１のＷｅｂサーバ装置１２０Ａのテーマが選択され（Ｓｔｅｐ２−１４）、選択したテーマを自己のデータベース６７０に書き込んで登録する（Ｓｔｅｐ２−１５）。この登録されたテーマの情報に基づいてサーバ装置１１０の提供部５２０によりコンテンツの提供を受けて、ダウンロードにより取得する（Ｓｔｅｐ２−１６）。第２のＷｅｂサーバ装置１２０Ｂは、書込部６４０により、取得したコンテンツを自己のデータベース４７０に書き込む（Ｓｔｅｐ２−１７）。
【００７２】
この一連のシーケンスにより、第１のＷｅｂサーバ装置１２０Ａに入力されたテーマのうち、第２のＷｅｂサーバ装置１２０Ｂが連携したいテーマを選択し、選択したテーマに係るコンテンツを取得することができる。よって、第１のＷｅｂサーバ装置１２０Ａが独自に提供するＷｅｂコンテンツが第２のＷｅｂサーバ装置１２０Ｂに連携される。
【００７３】
次に、Ｓｔｅｐ２−１からＳｔｅｐ２−１５までを、第１のＷｅｂサーバ装置１２０Ａと第２のＷｅｂサーバ装置１２０Ｂとが逆となって同様な手順を経ることにより、第２のＷｅｂサーバ装置１２０Ｂに入力されたテーマに関する情報から、第１のＷｅｂサーバ装置１２０Ａが連携したいテーマを選択し、選択したテーマに係るコンテンツを取得することができる。これらのステップについては図示を省略している。
【００７４】
このような状態において、第２のＷｅｂサーバ装置１２０ＢのＷｅｂサイトを閲覧する閲覧用端末装置１６０が、第２のＷｅｂサーバ装置１２０Ｂにアクセスする（Ｓｔｅｐ２−１８）。第２のＷｅｂサーバ装置１２０Ｂは、作成部６５０により、自己のデータベース６７０からもともと設定された自己のコンテンツと、サーバ装置１１０から取得された第１のＷｅｂサーバ装置１２０Ａに設定されているコンテンツと、を取得して（Ｓｔｅｐ２−１９）、取得した複数のコンテンツに基づいてＷｅｂページを作成し（Ｓｔｅｐ２−２０）、第２のＷｅｂサーバ装置１２０Ｂに対してアクセスした閲覧用端末装置１６０に、当該Ｗｅｂページが提供される（Ｓｔｅｐ２−２１）。
【００７５】
このような状態において、第１のＷｅｂサーバ装置１２０ＡのＷｅｂサイトを閲覧する閲覧用端末装置１６０が、第１のＷｅｂサーバ装置１２０Ａにアクセスする（Ｓｔｅｐ２−２２）。第１のＷｅｂサーバ装置１２０Ａは、作成部４５０により、自己のデータベース６７０からもともと設定された自己のコンテンツと、サーバ装置１１０から取得された第２のＷｅｂサーバ装置１２０Ｂに設定されているコンテンツと、を取得して（Ｓｔｅｐ２−２３）、取得した複数のコンテンツに基づいてＷｅｂページを作成し（Ｓｔｅｐ２−２４）、第１のＷｅｂサーバ装置１２０Ａに対してアクセスした閲覧用端末装置１６０に、当該Ｗｅｂページが提供される（Ｓｔｅｐ２−２５）。
【００７６】
以上の説明は、コンテンツが登録されるＷｅｂサーバ装置１２０が二台存在する場合であるところ、コンテンツが登録されるＷｅｂサーバ装置１２０が三台以上存在する場合においても適用される。
【００７７】
各Ｗｅｂサーバ装置１２０は、定期的に又は一定の時間や日時が経過すると、サーバ装置１１０に対してアクセスし、他のＷｅｂサーバ装置１２０から独自に提供されるテーマやコンテンツに更新や追加がなされたかを確認し、更新や追加がなされた場合には、提供部５２０により提供されるそれらのデータや情報を書込部６４０でダウンロードして各データベース６７０に書き込み、作成部６５０により、Ｗｅｂページを作成する。
（適用例）
本発明の実施形態に係るサーバシステムの適用例について説明する。例えば、第１のＷｅｂサーバ装置が会社の本店又は本部に係るテーマ及びコンテンツを提供し、第２のＷｅｂサーバ装置および第３のＷｅｂサーバ装置が当該会社の支店に係るテーマおよびコンテンツを提供する場合が想定される。この場合には、第２のＷｅｂサーバ装置および第３のＷｅｂサーバ装置において、第１のＷｅｂサーバ装置から提供されるテーマおよびコンテンツを取得するように設定することにより、本店または本部のデータを複数の支店との間でテーマおよびコンテンツに関して連携することができる。
【００７８】
第２のＷｅｂサーバ装置と第３のＷｅｂサーバ装置との間で、テーマおよびコンテンツ連携を行うことにより、支店同士でのテーマおよびコンテンツに関して連携することができる。
【００７９】
このような本店または本部と支店との間のデータ連携は、例えば第２の実施形態に係るサーバシステムを適用するとよい。
【００８０】
別の適用例について説明する。同一の企業内の本店と支店との間、フランチャイザーとフランチャイジーとの間においても適用することができる。また、地域支部別の団体などでも適用することができる。これらは、グループが同じであることから内部グルーピング内でのサーバシステムとすることができる。
【００８１】
このようなグループが複数存在し、自己のグループに属さない者が運営するＷｅｂサーバ装置も存在する。すると、或るグループ内にグループ外のＷｅｂサーバ装置からサーバ装置にアクセスされ、そのグループ内のＷｅｂサーバ装置に設定されているテーマおよびコンテンツを、アクセスしてきた他のグループに属するＷｅｂサーバ装置に提供することも考えられる。このようなグルーピングを外部グルーピングと呼ぶことができる。
【００８２】
例えば、図１０に示すように、第１のＷｅｂサーバ装置１２０Ａ、第２のＷｅｂサーバ装置１２０ＢとでグループＡが構成され、グループＢに属する第３のＷｅｂサーバ装置１２０Ｃが外部Ｗｅｂサーバ装置１７０として構成されるシステムが想定される。このシーケンスについて、図１１および図１２を参照しながら、説明する。ここで、外部Ｗｅｂサーバ装置は、Ｗｅｂサーバ装置と構成および機能は同一である。
【００８３】
先ず、第１のＷｅｂサーバ装置１２０Ａ側の管理用端末装置１４０Ａにおいて、テーマに関する設定が入力され（Ｓｔｅｐ３−１）、入力に係るテーマが第１のＷｅｂサーバ装置１２０Ａに送信され（Ｓｔｅｐ３−２）、第１のＷｅｂサーバ装置１２０Ａは自己のデータベース３４０に当該テーマの情報を登録する（Ｓｔｅｐ３−３）。また、第１のＷｅｂサーバ装置１２０Ａからサーバ装置１１０に当該テーマの情報が送信され（ＳＴＥＰ３−４）、サーバ装置１２０は、自己のデータベース５４０に当該テーマの情報を登録する（Ｓｔｅｐ３−５）。
【００８４】
次に、第１のＷｅｂサーバ装置１２０Ａ側の管理用端末装置１４０Ａにおいて、テーマが選択されコンテンツが入力される（Ｓｔｅｐ３−６）。すると、管理用端末装置１４０Ａは、入力されたコンテンツを第１のＷｅｂサーバ装置１２０Ａに送信し（Ｓｔｅｐ３−７）、第１のＷｅｂサーバ装置１２０Ａは、コンテンツを自己のデータベース６７０に登録する（Ｓｔｅｐ３−８）。その後、第１のＷｅｂサーバ装置１２０Ａは、入力されたコンテンツをサーバ装置１１０に送信し（Ｓｔｅｐ３−９）、サーバ装置１１０は当該コンテンツをデータベース５４０に登録する（Ｓｔｅｐ３−１０）。
【００８５】
一方、第２のＷｅｂサーバ装置１２０Ｂ側の管理用端末装置１４０Ｂにおいて、テーマに関する設定が入力され（Ｓｔｅｐ３−１１）、入力に係るテーマが第２のＷｅｂサーバ装置１２０Ｂに送信され（Ｓｔｅｐ３−１２）、第２のＷｅｂサーバ装置１２０Ｂは自己のデータベース３４０に当該テーマの情報を登録する（Ｓｔｅｐ３−１３）。また、第２のＷｅｂサーバ装置１２０Ｂからサーバ装置１１０に当該テーマの情報が送信され（ＳＴＥＰ３−１４）、サーバ装置１１０は、自己のデータベース５４０に当該テーマの情報を登録する（ＳＴＥＰ３−１５）。
【００８６】
次に、第２のＷｅｂサーバ装置１２０Ｂ側の管理用端末装置１４０Ｂにおいて、テーマが選択されコンテンツが入力される（Ｓｔｅｐ３−１６）。すると、管理用端末装置１４０Ｂは、入力されたコンテンツを第２のＷｅｂサーバ装置１２０Ｂに送信し（Ｓｔｅｐ３−１７）、第２のＷｅｂサーバ装置１２０Ｂは、コンテンツを自己のデータベース６７０に登録する（Ｓｔｅｐ３−１８）。その後、第２のＷｅｂサーバ装置１２０Ｂは、入力されたコンテンツをサーバ装置１１０に送信し（Ｓｔｅｐ３−１９）、サーバ装置１１０は当該コンテンツをデータベース５４０に登録する（Ｓｔｅｐ３−２０）。
【００８７】
そして、サーバ装置１１０は、外部Ｗｅｂサーバ装置１７０に対して、第１および第２のＷｅｂサーバ装置１２０Ａ，１２０Ｂによるテーマに関する情報を提供する（Ｓｔｅｐ３−２１）。これにより、外部Ｗｅｂサーバ装置１７０は、当該テーマの情報をダウンロードし（Ｓｔｅｐ３−２２）、自己のデータベース６７０に書き込んで登録する（Ｓｔｅｐ３−２３）。外部Ｗｅｂサーバ装置１７０側の管理用端末装置１４０Ｃは、取得するテーマを選択し（ＳＴＥＰ３−２４）、選択したテーマを自己のデータベース６７０に書き込んで登録する（Ｓｔｅｐ３−２５）。この登録されたテーマの情報に基づいてサーバ装置１１０からコンテンツをダウンロードにより取得する（Ｓｔｅｐ３−２６）。外部Ｗｅｂサーバ装置１７０は、取得したコンテンツを自己のデータベース４７０に書き込む（Ｓｔｅｐ３−２７）。
【００８８】
このような状態において、外部Ｗｅｂサーバ装置１７０を閲覧する閲覧用端末装置１６０は、外部Ｗｅｂサーバ装置１７０にアクセスすると（Ｓｔｅｐ３−２８）、外部Ｗｅｂサーバ装置１７０は、自己のデータベース６７０からもともと設定された自己のコンテンツと、サーバ装置１１０から取得された第１のＷｅｂサーバ装置１２０Ａにより独自に提供されるコンテンツおよび第２のＷｅｂサーバ装置１２０Ｂにより独自に提供されるコンテンツと、を取得して（Ｓｔｅｐ３−２９）、取得した複数のコンテンツに基づいてＷｅｂページを作成し（Ｓｔｅｐ３−３０）、外部Ｗｅｂサーバ装置１７０に対してアクセスした閲覧用端末装置１６０に、当該Ｗｅｂページを提供する（Ｓｔｅｐ３−３１）。
（データ・情報の流れによる連携）
図１３を参照しながら、本発明の実施形態に係るサーバシステムによるデータ・情報の流れを説明する。図１３では、サーバシステム１００は、第１のデータベースサーバ装置７０１、第１のＷｅｂサーバ装置７０２、第２のデータベースサーバ装置７０３、第２のＷｅｂサーバ装置７０４、マスターデータベースサーバ装置７０５およびマスターサーバ装置７０６を備え、これらが図示しないハブで接続可能であり、さらに図示しないインターネットに接続されている。
【００８９】
マスターデータは、すべてのサイト、すなわち、第１のＷｅｂサーバ装置７０２，第２のＷｅｂサーバ装置７０４で共通のデータである。マスターサーバ装置７０６はマスター管理用サーバ装置とも呼ばれ、第１のＷｅｂサーバ装置７０２、第２のＷｅｂサーバ装置７０４からアクセスされ、マスター情報の登録を行う。第１のＷｅｂサーバ装置７０２、第２のＷｅｂサーバ装置７０４は、マスターデータベースサーバ装置７０５から必要な情報を取得し、第１のデータベースサーバ装置７０１，第２のデータベースサーバ装置７０３に取得した情報（データ）を登録する。この処理を「マスターダウンロード処理」と呼ぶ。
【００９０】
コンテンツデータは、第１のＷｅｂサーバ装置７０２によるサイト固有のデータ、第２のＷｅｂサーバ装置７０４によるサイト固有のデータを、サイト間で共有するために必要なデータ（情報）である。
【００９１】
第１のＷｅｂサーバ装置７０２は、第１のデータベースサーバ装置７０１から自己のサイト情報を取得し、サイトを表示する。第２のＷｅｂサーバ装置７０４は、第２のデータベースサーバ装置７０３から自己のサイト情報を取得し、サイトを表示する。
【００９２】
第１のＷｅｂサーバ装置７０２は、図示しない管理者用端末装置から入力されたＷｅｂサイト情報の入力を受けて、第１のデータベースサーバ装置７０１に書き込む。第２のＷｅｂサーバ装置７０４は、図示しない管理者用端末装置から入力されたＷｅｂサイト情報の入力を受けて、第２のデータベースサーバ装置７０３に書き込む。これらの書込処理は、「コンテンツアップロード処理」と呼ぶ。
【００９３】
第１のＷｅｂサーバ装置７０２は、マスターデータベースサーバ装置７０５から第２のサイト情報をダウンロードし、第１のデータベースサーバ装置７０１に書き込む。ここで、第２のサイト情報とは、第２のＷｅｂサーバ装置７０４が図示しない管理者用端末装置から入力を受けて第２のデータベースサーバ装置７０３に書き込んだ情報である。第２のＷｅｂサーバ装置７０４は、マスターデータベースサーバ装置７０５から第１のサイト情報をダウンロードし、第２のデータベースサーバ装置７０３に書き込む。ここで、第１のサイト情報とは、第１のＷｅｂサーバ装置７０２が図示しない管理者用端末装置から入力を受けてマスターデーターベース装置７０５に書き込まれた情報である。このように、各サイトは他のサイト情報をマスターデータベースサーバ装置７０５よりダウンロードし自分のデータベースサーバ装置７０１，７０３へ書き込みを行う。これを、「コンテンツインポート処理」と呼ぶ。
【００９４】
これら、マスターダウンロード処理、コンテンツアップロード処理、コンテンツインポート処理を経ることにより、Ｗｅｂサイト間の連携がなされる。
【００９５】
本発明の実施形態によれば、サーバ装置１１０が処理部３１０、５１０および提供部３２０、５２０を備えることにより、複数のＷｅｂサーバ装置１２０のそれぞれが提供するコンテンツを互いに共有させる。つまり、提供部３２０と５２０が、自己のデータベース４７０、６７０に格納されているコンテンツと、当該コンテンツに関するテーマとを、複数のＷｅｂサーバ装置１２０のうち当該コンテンツを独自に提供するＷｅｂサーバ装置を除いたＷｅｂサーバ装置に提供しある。これにより、Ｗｅｂサーバ装置１２０がそれぞれ提供するＷｅｂコンテンツを補完する。そのため、インバウンドマーケティングが効率的に行える。
【００９６】
本発明の実施形態に係るＷｅｂサーバ装置１２０が、通信部４１０、６１０、第１の登録部４２０、６２０、第２の登録部４３０、６３０、書込部４４０、６４０、作成部４５０、６５０および提供部４６０、６６０を備えることにより、これにより、Ｗｅｂサーバ装置１２０がそれぞれ提供するＷｅｂコンテンツを補完する。そのため、インバウンドマーケティングが効率的に行える。
【００９７】
本発明の実施形態に係るＷｅｂサーバ装置の連携方法によれば、複数のＷｅｂサーバ装置１２０のそれぞれが独自に提供するコンテンツと、当該コンテンツに関するテーマと、複数のＷｅｂサーバ装置１２０のそれぞれの識別情報と、をサーバ装置１１０のデータベース３４０、５４０に格納した後に、サーバ装置１１０のデータベース３４０、５４０に格納されているコンテンツおよび当該コンテンツに関するテーマを、複数のＷｅｂサーバ装置１２０のうち当該コンテンツを独自に提供するＷｅｂサーバ装置１２０を除いたＷｅｂサーバ装置１２０に提供する。そのため、複数のＷｅｂサーバ装置１２０のうち、一つのＷｅｂサーバ装置１２０から提供されるコンテンツを、それ以外のＷｅｂサーバ装置１２０にも提供するとともに、当該それ以外のＷｅｂサーバ装置１２０から提供されるコンテンツを、当該一つのＷｅｂサーバ装置１２０に提供する。これにより、Ｗｅｂサーバ装置１２０がそれぞれ提供するＷｅｂコンテンツを補完する。そのため、インバウンドマーケティングが効率的に行える。
【００９８】
本発明の実施形態に係る各プログラム、すなわち、サーバ装置用プログラム、Ｗｅｂサーバ装置用プログラムは、それぞれ記録媒体に格納されて提供されてもよいし、それぞれ電気通信回線を通じて提供されてもよい。これらにより提供されたプログラムは、それぞれコンピュータに格納されて実行されることにより、本発明に係るサーバ装置１１０、Ｗｅｂサーバ装置１２０を構成することになり、それぞれサーバ装置１１０、Ｗｅｂサーバ装置１２０を実現する。
【００９９】
本発明の実施形態は、自己以外の他のＷｅｂサーバ装置に設定されるテーマおよびコンテンツを連携するための構成の好ましい形態を示すものであり、添付の特許請求の範囲の範囲内において適宜変更されるものも含まれる。
【符号の説明】
【０１００】
１００：サーバシステム
１１０：サーバ装置
１２０，１２０Ａ，１２０Ｂ，１２０Ｃ：Ｗｅｂサーバ装置
１３０：ネットワーク
１４０，１４０Ａ，１４０Ｂ，１４０Ｃ：管理用端末装置
１５０：インターネット
１６０：閲覧用端末装置
１７０：外部Ｗｅｂサーバ装置
２１０：補助記憶装置
２１１：主記憶装置
２１２：演算装置
２１３：制御装置
２１４：通信装置
２１５：入力部
２１６：出力部
３１０，５１０：処理部
３２０，５２０：提供部
３３０：登録部
３４０，５４０：データベース
３５０，５５０：通信部
３６０，５６０：管理部
４１０，６１０：通信部
４２０，６２０：第１の登録部
４３０，６３０：第２の登録部
４４０，６４０：書込部
４５０，６５０：作成部
４６０，６６０：提供部
４７０，６７０：データベース
７０１：第１のデータベースサーバ装置
７０２：第１のＷｅｂサーバ装置
７０３：第２のデータベースサーバ装置
７０４：第２のＷｅｂサーバ装置
７０５：マスターデータベースサーバ装置
７０６：マスターサーバ装置
【図１】
2020042410.tif 000006
【図２】
2020042410.tif 000007
【図３】
2020042410.tif 000008
【図４】
2020042410.tif 000009
【図５】
2020042410.tif 000010
【図６】
2020042410.tif 000011
【図７】
2020042410.tif 000012
【図８】
2020042410.tif 000013
【図９】
2020042410.tif 000014
【図１０】
2020042410.tif 000015
【図１１】
2020042410.tif 000016
【図１２】
2020042410.tif 000017
【図１３】
2020042410.tif 000018
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
複数のＷｅｂサーバ装置のそれぞれが独自に提供するコンテンツと、当該コンテンツに関するテーマと、前記複数のＷｅｂサーバ装置のそれぞれの識別情報と、を自己のデータベースに格納する処理部と、
前記自己のデータベースに格納されているコンテンツと、当該コンテンツに関するテーマとを、前記複数のＷｅｂサーバ装置のうち当該コンテンツを独自に提供するＷｅｂサーバ装置を除いたＷｅｂサーバ装置に提供する提供部と、
を備える、サーバ装置。
【請求項２】
前記複数のＷｅｂサーバ装置のそれぞれの管理用端末装置から送信されるテーマ選定用キーワードを、前記複数のＷｅｂサーバ装置のうち当該テーマ選定用キーワードを送付した前記管理用端末装置に対応するＷｅｂサーバ装置に対して送信する登録部をさらに備える、請求項１に記載のサーバ装置。
【請求項３】
管理用端末装置およびサーバ装置と接続する通信部と、
前記通信部を経由して前記管理用端末装置から入力されるテーマを自己のデータベースに登録するとともに前記サーバ装置に当該テーマを送信する第１の登録部と、
前記第１の登録部で登録されているテーマから選択されたテーマに関するコンテンツを前記自己のデータベースに登録するとともに、前記サーバ装置に対して当該テーマに係る当該コンテンツを送信する第２の登録部と、
前記サーバ装置から他のＷｅｂサーバ装置で提供されるコンテンツと当該コンテンツに関するテーマを取得して前記自己のデータベースに書き込む書込部と、
前記書込部で前記自己のデータベースに書き込まれたコンテンツと前記管理用端末装置で前記自己のデータベースに書き込まれたコンテンツとを含むＷｅｂページを作成する作成部と、
前記作成部で作成されたＷｅｂページを閲覧要求する端末装置に提供する提供部と、
を備える、Ｗｅｂサーバ装置。
【請求項４】
管理用端末装置およびサーバ装置と接続する通信部と、
前記通信部を経由して前記サーバ装置から送信されるテーマを自己のデータベースに登録する第１の登録部と、
前記管理用端末装置から送信されるコンテンツを受信し、当該コンテンツのテーマを解析し、当該コンテンツに当該テーマを設定して自己のデータベースに登録するとともに、前記サーバ装置に対して当該テーマに係る当該コンテンツを送信する第２の登録部と、
前記サーバ装置から他のＷｅｂサーバ装置で提供されるコンテンツと当該コンテンツに関するテーマを取得して前記自己のデータベースに書き込む書込部と、
前記書込部で前記自己のデータベースに書き込まれたコンテンツと前記管理用端末装置で前記自己のデータベースに書き込まれたコンテンツとを含むＷｅｂページを作成する作成部と、
前記作成部で作成されたＷｅｂページを閲覧要求する端末装置に提供する提供部と
を備える、Ｗｅｂサーバ装置。
【請求項５】
前記第２の登録部が、前記管理用端末装置から送信されるコンテンツから所定の入力項目に応じて重み付けするとともに当該コンテンツを構成する単語に分解することにより、キーワード毎に集計を行い、その集計の結果に基づいてテーマを解析する、請求項４に記載のＷｅｂサーバ装置。
【請求項６】
請求項１または２に記載のサーバ装置と、
請求項３、４および５の何れか１項に記載のＷｅｂサーバ装置と
を備える、サーバシステム。
【請求項７】
コンピュータに格納されて実行されることにより、請求項１または２に記載のサーバ装置を実現する、サーバ装置用プログラム。
【請求項８】
コンピュータに格納されて実行されることにより、請求項３、４および５の何れか１項に記載のＷｅｂサーバ装置を実現する、Ｗｅｂサーバ装置用プログラム。
【手続補正２】
【補正対象書類名】明細書
【補正対象項目名】００１２
【補正方法】削除
【補正の内容】